(57)【特許請求の範囲】
【請求項１】
面状のヒータブロックを蓄熱ボードの下面に貼付した蓄熱床暖房パネルにおいて、蓄熱ボードは樹脂で成形した偏平な筐体に蓄熱材を装填して形成し、蓄熱ボードの適所に蓄熱材を介さず筐体の上面板部と下面板部とを重合した重合部を設けると共にこの重合部に上下に貫通する固定穴を穿孔し、ヒータブロックに上記固定穴に対応する取り付け穴を設け、ヒータブロックの下面から下に頭部を有する固着具を取り付け穴を介して固定穴に挿通すると共に固着具を固定穴に係止固定することでヒータブロックを蓄熱ボードの下面に貼付したことを特徴とする蓄熱床暖房パネル。
【請求項２】
上記固定穴や取り付け穴を蓄熱ボードやヒータブロックの長手方向に複数個点在させ、ヒータブロックの長手方向の一端の取り付け穴を丸穴とすると共に長手方向の一端から他端側に向けて順次存在する取り付け穴を上記長手方向に長い長孔として成ることを特徴とする請求項１記載の蓄熱床暖房パネル。
【請求項３】
蓄熱ボードの下面側の周縁に下面側に突出する突部を設けると共に蓄熱ボードの下面側の上記突部で囲まれた部分にヒータブロックを貼付して成ることを特徴とする請求項１または請求項２記載の蓄熱床暖房パネル。
【請求項４】
蓄熱ボードの筐体の上面板部と下面板部とを重合した重合部上下に貫通する挿通穴を設け、この挿通穴に電気配線を挿通して成ることを特徴とする請求項１乃至請求項３のいずれかに記載の蓄熱床暖房パネル。
【発明の詳細な説明】
【０００１】
【発明の属する技術分野】
本発明は、蓄熱した熱を放熱することにより床暖房する蓄熱床暖房パネルの構造に関するものである。
【０００２】
【従来の技術】
従来、この種の蓄熱床暖房パネルにあっては、蓄熱材を装填した蓄熱ボードの下面にヒータブロックを重ねて粘着にて貼付し、蓄熱ボードの上に床面板を重ねて積層一体化して形成されており、ヒータブロックで発熱した熱を一旦蓄熱ボードに蓄熱し、この蓄熱ボードに蓄熱した熱を放熱することにより床暖房を行うことができるようになっている。
【０００３】
【発明が解決しようとする課題】
上記従来例にあっては、長期の暖房使用の熱サイクルにより、蓄熱ボードが伸縮し、ヒータブロックと蓄熱ボードとの粘着が剥がれてヒータブロックが外れるという問題があり、また蓄熱ボードが伸縮したときヒータブロックも一緒に動き、ヒータブロックのアルミニウム箔に皺が発生したりすることがあり、皺の発生にて温度性能に支障をきたすという問題があり、また蓄熱ボードの下面にヒータブロックを粘着しているだけのために施工したとき蓄熱ボードの自重がヒータブロックにかかり、ヒータブロックのコードヒータが断線したりするおそれがある。
【０００４】
本発明は叙述の点に鑑みてなされたものであって、蓄熱ボードからヒータブロックが外れないように取り付けることができ、しかも蓄熱ボードの伸縮にヒータブロックが追従しなくて温度性能に支障をきたさなく、さらに施工したとき蓄熱ボードの自重がかからなくて断線のおそれがない蓄熱床暖房パネルを提供することを課題とする。
【０００５】
【課題を解決するための手段】
上記課題を解決するため本発明の蓄熱床暖房パネルは、面状のヒータブロック１を蓄熱ボード２の下面に貼付した蓄熱床暖房パネルにおいて、蓄熱ボード２は樹脂で成形した偏平な筐体２ａに蓄熱材３を装填して形成し、蓄熱ボード２の適所に蓄熱材３を介さず筐体２ａの上面板部４と下面板部５とを重合した重合部６を設けると共にこの重合部６に上下に貫通する固定穴７を穿孔し、ヒータブロック１に上記固定穴７に対応する取り付け穴８を設け、ヒータブロック１の下面から下に頭部９ａを有する固着具９を取り付け穴８を介して固定穴７に挿通すると共に固着具９を固定穴７に係止固定することでヒータブロック１を蓄熱ボード２の下面に貼付したことを特徴とする。上記のように構成したことにより、蓄熱ボード２の下面にヒータブロック１を固着具９にて貼付でき、粘着による固定のように蓄熱ボード２の伸縮により蓄熱ボード２からヒータブロック１が外れたりすることなく、長期の暖房使用による熱サイクルにより伸縮する蓄熱ボード２に取り付けるヒータブロック１でも外れたりするおそれがない。
【０００６】
また上記固定穴７や取り付け穴８を蓄熱ボード２やヒータブロック１の長手方向に複数個点在させ、ヒータブロック１の長手方向の一端の取り付け穴８を丸穴とすると共に長手方向の一端から他端側に向けて順次存在する取り付け穴８を上記長手方向に長い長孔として成ることを特徴とすることも好ましい。このようにすると、固着具９にて蓄熱ボード２にヒータブロック１を取り付けたものでも、蓄熱ボード２の伸縮に追従してヒータブロック１が移動しなく、ヒータブロック１に皺がよったりすることがなくて温度性能に支障を生じたりすることがなく、また蓄熱ボード２からヒータブロック１が外れないように確実に取り付けることができる。、
また蓄熱ボード２の下面側の周縁に下面側に突出する突部１０を設けると共に蓄熱ボード２の下面側の上記突部１０で囲まれた部分にヒータブロック１を貼付して成ることを特徴とすることも好ましい。このようにすると、施工したとき突部１０にてヒータブロック１に蓄熱ボード２の自重がかからなくてヒータブロック１が断線したりするおそれがない。
【０００７】
また蓄熱ボード２の筐体２ａの上面板部４と下面板部５とを重合した重合部６に上下に貫通する挿通穴１１を設け、この挿通穴１１に電気配線を挿通して成ることを特徴とすることも好ましい。このようにすることで蓄熱ボード２に容易に電気配線を通すことができる。
【０００８】
【発明の実施の形態】
蓄熱床暖房パネルＡは、図４に示すようにヒータブロック１、蓄熱ボード２、放熱制御アクチュエータ、床面板１２を組み合わせてパネル化したもので、床下地の上に並べて敷設することにより床暖房装置を施工するものである。蓄熱ボード２は偏平な矩形箱状で内部が空間となった筐体２ａの周縁に立ち上がり壁２ｂを設けてあり、筐体２ａの空間内に潜熱蓄熱材のような蓄熱材３を装填して形成されている。かかる蓄熱ボード２はポリプロピレンのような合成樹脂にて一体に形成されている。ヒータブロック１は矩形シート状に形成されるものであって、アルミニウム箔のような均熱シート１ａの下面側にコードヒータ１ｂを一体に装着して形成されている。そしてこのヒータブロック１は蓄熱ボード２の下面側に装着してある。
【０００９】
蓄熱ボード２の立ち上がり壁２ｂの上端上には蓄熱ボード２の上面上の全面を覆うように合板のような床面板１２を配置してあり、蓄熱ボード２と床面板１２とを一体化してある。床面板１２の下面側には放熱制御アクチュエータを配置してあり、放熱制御アクチュエータを立ち上がり壁２ｂ内に収納してある。この放熱制御アクチュエータは空気を出し入れすることにより膨張収縮する袋体よりなり且つ膨張収縮により蓄熱材３から放熱される放熱量を制御するものであり、本特許出願人が先に出願した特開平１１−３３７０９５号公報で開示されるものである。
【００１０】
床面板１２には放熱制御アクチューエータと連通して空気を送るための横送り用接続口１３と縦送り用接続口１４を設けてあり、蓄熱床暖房パネルＡを並べて敷設したとき複数の蓄熱床暖房パネルＡの放熱制御アクチュエータが連通するようになっている。床面板１２の上面には電気配線の横接続用凹部１５と縦接続用凹部１６とが穿設してあり、横接続用凹部１５の長手方向の中央には横接続コネクター１７を収納して設置してあり、この横接続コネクター１７とヒータブロック１とを電気配線の接続線１８にて接続してある。また電気配線の横送り線１９は横接続用凹部１５に収納するように挿通してあり、横送り線１９の端部を横接続コネクター１７に接続してある。また縦接続用凹部１６には縦接続コネクター２０を収納して設置してあり、この縦接続コネクター２０とヒータブロック１とを電気配線の接続線１８に接続してある。また電気配線の縦送り線は縦接続用凹部１６に収納するように挿通してあり、縦送り線の端部を縦接続コネクター２０に接続できるようになっている。横接続用凹部１５や縦接続用凹部１６の上面開口には必要に応じて蓋が着脱自在に被着されるようになっている。
【００１１】
上記の蓄熱床暖房パネルＡで蓄熱ボード２の筐体２ａの適所には筐体２ａの上面板部４と下面板部５とを重合させて結合した重合部６が形成される。つまり、上面板部４には有底逆円錐台筒状の凹曲部２１が設けられ、下面板部４には有底円錐台筒状の凸曲部２２が設けられ、凹曲部２１の底部と凸曲部２２の底部とが一体に重合されて互い融着されている。このよう凹曲部２１と凸曲部２２とを設けて底部同士を融着した重合部６を設けることにより補強リブの働きをするようになる。重合部６に補強のための機能を持たせる場合には図２に示すように径の小さい凹曲部２１と凸曲部２２とを設けてこれらを重合する。また重合部６に補強とヒータブロック１を固定する機能とを持たせる部分では図１に示すように径の大きな凹曲部２１と凸曲部２２とを設けてこれらを重合し、重合部６に上下に貫通するように固定穴７を穿孔してある。本例の場合、蓄熱ボード２の四隅とこれらの間の合計６箇所に固定穴７を穿孔してある。
【００１２】
ヒータブロック１には上記固定穴７に対応するように取り付け穴８を穿孔してある。固着具９は例えば樹脂リベットと称されるものであり、軸９ｂの一端に径の大きな頭部９ａを有し、軸９ｂには楔部９ｃが打入されることにより径が膨大する膨大部９ｄを設けて形成されている。蓄熱ボード２の下面側にはヒータブロック１が配置され、取り付け穴８と固定穴７とが対応させられる。この状態で頭部９ａを下にして固着具９が取り付け穴８を介して固定穴７に挿通され、固着具９の膨大部９ｄを固定穴７に係止させることで固着具９にてヒータブロック１が蓄熱ボード２に固定される。このように固着具９にてヒータブロック１を蓄熱ボード２に取り付けることにより、長期暖房使用による熱サイクルにより蓄熱ボード２が伸縮してもヒータブロック１が蓄熱ボード２から外れたりしない。
【００１３】
また上記取り付け穴８はヒータブロック１の長手方向に複数個点在させられるが、図３に示すようにヒータブロック１の長手方向の一端の取り付け穴８を丸穴とすると共に長手方向の一端から他端側に向けて順次存在する取り付け穴８を上記長手方向に長い長孔としてある。つまり、本例の場合、蓄熱ボード２の右端の符号ａに示す線を基準とし、右の取り付け穴８ａを略円形の丸穴とし、その左の取り付け穴８ｂを長さＬ１の長孔とし、左端の取り付け穴８ｃをそれより長さの長いＬ２（Ｌ１＜Ｌ２）の長孔としてある。このようにしてあると、蓄熱ボード２が伸縮しても固着具９に対して取り付け穴８が摺動して蓄熱ボード２の伸縮に対してヒータブロック１が追従しない。このためヒータブロック１に皺がよったりすることがなく、温度性能に支障をきたすおそれがない。またこのことで蓄熱ボード２が伸縮してもヒータブロック１が外れないように取り付けることができる。
【００１４】
また電気配線の接続線１８に対応する部分でも図５に示すように径の大きな凹曲部２１と凸曲部２２とを設けてこれらを重合し、重合部６に上下に貫通するように挿通穴１１を穿孔してある。そしてこの挿通穴１１に接続線１８を挿通することで蓄熱ボード２に接続線１８を貫通させてある。以前は図６に示すように蓄熱ボード２の外周に切り欠き部１１′を設けることで接続線１８を切り欠き部１１′に挿通してあるが、この場合、接続線１８が蓄熱ボード２の外部に露出することになるので、施工中に引っ掛けたり、傷を付けたりして接続線１８が破損するおそれがある。接続線１８の保護のためには接続線１８を覆うように保護材を貼り付けたりしなければならないので、コストのアップ、貼付の手間がかかるという問題がある。ところが、上記のように補強も兼ねる重合部６の挿通穴１１に貫通するように接続線１１を通すと、蓄熱ボード２の強度を損ねることもなく、特別な保護材などを設置することもなく、蓄熱ボード２を通常の成形と同様に簡単に成形でき、接続線１８の保護が可能になった。
【００１５】
また図７に示すように蓄熱ボード２の下面の周縁に下方に突出する突部１０を設けてあり、蓄熱ボード２の下面側の上記突部１０で囲まれた部分にヒータブロック１を貼付してある。以前は図８（ａ）のように蓄熱ボード２の下面に溝部２４を設け、蓄熱ボード２の下面側にヒータブロック１を配置してヒータブロック１のコードヒータ１ｂを溝部２４に納めるように蓄熱ボード２の下面にヒータブロック１を貼付したり、図８（ｂ）に示すように蓄熱ボード２の下面に均熱シート１ａを上にしてヒータブロック１を貼付したりしてあるが次の問題がある。前者にあっては、均熱シート１ａにコードヒータ１ｂを接着したヒータブロック１を蓄熱ボード２の溝部２４に嵌るように取り付ける際、溝部２４の幅はコードヒータ１ｂの径よりかなり大きめにしないと嵌らないので、均熱シート１ａと蓄熱ボード２との接触面積が小さくなり、ヒータブロック１から蓄熱ボード２への伝熱効率が悪くなるという問題がある。またコードヒータ１ｂの配置パターンを変更するときには、蓄熱ボード２も変更しないといけないので、発熱量などの設計変更が容易でない。また後者にあっては蓄熱ボード２をヒータブロック１を下にして置いたとき、荷重がコードヒータ１ｂに集中してかかるので、コードヒータ１ｂの断線が発生しやすい。ところが、図７に示すように構成すると、均熱シート１ａの全面が蓄熱ボード２に接触しているので、伝熱効率がよい。またコードヒータ１ｂの配置パターンを変更するときも、蓄熱ボード２は変更しなくてもよいので、発熱量などの設計変更が容易である。さらに蓄熱ボード２をヒータブロック１を下にして置いても、荷重は蓄熱ボード２の突部１０にかかり、コードヒータ１ｂには荷重がかからないので、コードヒータ１ｂの断線の心配がない。
【００１６】
また図９、図１０、図１１はサーモスタット２６を取り付ける取り付け方の例を示す。以前はサーモスタット２６を取り付ける場合、図１２に示すように蓄熱ボード２の下面の収納凹所２７に対応する部分に開口２８を設けたヒータブロック１を蓄熱ボード２の下面に配置して貼付し、開口２８から収納凹所２７にサーモスタット２６を収納し、サーモスタット２６の下からアルミニウムテープのような押さえテープ２９をヒータブロック１に貼付してサーモスタット２６を固定していた。ところが、かかるものでは押さえテープ２９でサーモスタット２６を固定する必要があり、作業性が非常に悪いものであるが、図９、図１０、図１１に示すものはこの問題を解決するものである。
【００１７】
図９に示すものではヒータブロック１の均熱シート１ａの一部にスリット３０を設けてあり、サーモスタット２６のリード線３１をスリット３０に挿通し、サーモスタット２６を収納凹所２７に納めると共に蓄熱ボード２の下面にヒータブロック１を貼付してサーモスタット２６を固定してある。
【００１８】
図１０に示すものでは蓄熱ボード２の収納凹所２７及び収納凹所２７の近傍に亙るようにアルミニウムテープのような均熱テープ３２を貼付し、均熱テープ３２を介して収納凹所２７にサーモスタット２６を貼付し、収納凹所２７に対応する部分に開口２８を設けたヒータブロック１を蓄熱ボード２の下面に貼付してある。
【００１９】
図１１で示すものではヒータブロック１の上記収納凹所２７と対応する部分にコ字状の切り込み３３を入れ、蓄熱ボード２の下面にヒータブロック１を貼付すると共に切り込み３３で形成した遊離片３４を収納凹所２７に落とし込んで貼付し、遊離片３４を介して収納凹所２７に収納したサーモスタット２６を貼付してある。
【００２０】
【発明の効果】
本発明の請求項１の発明は、面状のヒータブロックを蓄熱ボードの下面に貼付した蓄熱床暖房パネルにおいて、蓄熱ボードは樹脂で成形した偏平な筐体に蓄熱材を装填して形成し、蓄熱ボードの適所に蓄熱材を介さず筐体の上面板部と下面板部とを重合した重合部を設けると共にこの重合部に上下に貫通する固定穴を穿孔し、ヒータブロックに上記固定穴に対応する取り付け穴を設け、ヒータブロックの下面から下に頭部を有する固着具を取り付け穴を介して固定穴に挿通すると共に固着具を固定穴に係止固定することでヒータブロックを蓄熱ボードの下面に貼付したので、蓄熱ボードの下面にヒータブロックを固着具にて貼付でき、粘着による固定のように蓄熱ボードの伸縮により蓄熱ボードからヒータブロックが外れたりすることなく、長期の暖房使用による熱サイクルにより伸縮する蓄熱ボードに取り付けるヒータブロックでも外れたりするおそれがないものである。
【００２１】
また本発明の請求項２の発明は、請求項１において、上記固定穴や取り付け穴を蓄熱ボードやヒータブロックの長手方向に複数個点在させ、ヒータブロックの長手方向の一端の取り付け穴を丸穴とすると共に長手方向の一端から他端側に向けて順次存在する取り付け穴を上記長手方向に長い長孔としたので、固着具にて蓄熱ボードにヒータブロックを取り付けたものでも、蓄熱ボードの伸縮に追従してヒータブロックが移動しなく、ヒータブロックに皺がよったりすることがなくて温度性能に支障を生じたりすることがないものであり、また蓄熱ボードからヒータブロックが外れないように確実に取り付けることができるものである。
【００２２】
また本発明の請求項３の発明は、請求項１または請求項２において、蓄熱ボードの下面側の周縁に下面側に突出する突部を設けると共に蓄熱ボードの下面側の上記突部で囲まれた部分にヒータブロックを貼付しているので、施工したとき突部にてヒータブロックに蓄熱ボードの自重がかからなくてヒータブロックが断線したりするおそれがないものである。
【００２３】
また本発明の請求項４の発明は、請求項１乃至請求項３のいずれかにおいて、蓄熱ボードの筐体の上面板部と下面板部とを重合した重合部に上下に貫通する挿通穴を設け、この挿通穴に電気配線を挿通しているので、蓄熱ボードに容易に電気配線を通すことができるものである。
【図面の簡単な説明】
【図１】（ａ）は本発明の要部の正面から見た断面図、（ｂ）は一部省略平面図である。
【図２】同上の補強のためだけの重合部を示し、（ａ）は平面図、（ｂ）は正面から見た断面図である。
【図３】同上の蓄熱ボードの下面側にヒータブロックを取り付ける状態の下面図である。
【図４】同上の蓄熱床暖房パネルの分解斜視図である。
【図５】同上の挿通穴を設ける重合部の部分を示し，（ａ）は平面図、（ｂ）は正面から見た断面図である。
【図６】図５の例の比較例の要部の斜視図である。
【図７】同上の蓄熱ボードにヒータブロックを取り付けた状態の断面図である。
【図８】（ａ）（ｂ）は図７の例の比較例の断面図である。
【図９】同上の他の例を示し、（ａ）は正面から見た断面図、（ｂ）は底面図である。
【図１０】同上の他の例を示し、（ａ）は正面から見た断面図、（ｂ）は底面図である。
【図１１】同上の他の例を示し、（ａ）は正面から見た断面図、（ｂ）は底面図である。
【図１２】図９、図１０及び図１１の例の比較例の断面図である。
【符号の説明】
１  ヒータブロック
２  蓄熱ボード
２ａ  筐体
３  蓄熱材
４  上面板部
５  下面板部
６  重合部
７  固定穴
８  取り付け穴
９  固着具
９ａ  頭部
１０  突部
１１  挿通穴
【図１】
0003633487.tif 000002
【図２】
0003633487.tif 000003
【図３】
0003633487.tif 000004
【図４】
0003633487.tif 000005
【図５】
0003633487.tif 000006
【図６】
0003633487.tif 000007
【図７】
0003633487.tif 000008
【図８】
0003633487.tif 000009
【図９】
0003633487.tif 000010
【図１０】
0003633487.tif 000011
【図１１】
0003633487.tif 000012
【図１２】
0003633487.tif 000013